(57)【要約】【課題】部品の位置調整作業に要する負担を抑制しつつ、良好な性能が得られる光ピックアップを提供する。【解決手段】光ピックアップ１は、光源１１ａ、１１ｂから出射される光を光記録媒体に導くとともに、前記光記録媒体で反射される反射光を受光素子２０へと導く光学路を備える。光ピックアップ１は、受光素子２０の前段に配置されるセンサーレンズ１９と、センサーレンズ１９を一体的に含むとともに、受光素子２０を保持する保持部６２を有するレンズ機能付き素子保持体６０と、前記光学路が設けられるとともに、受光素子２０を保持したレンズ機能付き素子保持体６０が取り付けられるベース部１０と、を備える。【選択図】図６
2014044764.tif 000002
【特許請求の範囲】
【請求項１】
光源から出射される光を光記録媒体に導くとともに、前記光記録媒体で反射される反射光を受光素子へと導く光学路を備える光ピックアップであって、
前記受光素子の前段に配置されるセンサーレンズと、
前記センサーレンズを一体的に含むとともに、前記受光素子を保持する保持部を有するレンズ機能付き素子保持体と、
前記光学路が設けられるとともに、前記受光素子を保持した前記レンズ機能付き素子保持体が取り付けられるベース部と、
を備えることを特徴とする光ピックアップ。
【請求項２】
前記光源には、発光点位置が互いにずれた位置関係となる第１の光源と第２の光源とが含まれ、
前記光学路は、前記第１の光源が使用される場合と、前記第２の光源が使用される場合とで共用され、
前記受光素子には、前記第１の光源用の第１の受光パターンと、前記第２の光源用の第２の受光パターンとが形成されていることを特徴とする請求項１に記載の光ピックアップ。
【請求項３】
前記センサーレンズは、前記反射光に非点収差を与えることを特徴とする請求項１又は２に記載の光ピックアップ。
【請求項４】
前記受光素子は、前記保持部に接着剤で固定され、
前記レンズ機能付き素子保持体には、前記接着剤が充填される充填部と、前記充填部に前記接着剤を充填するための充填用孔と、が設けられることを特徴とする請求項１から３のいずれかに記載の光ピックアップ。
【請求項５】
前記レンズ機能付き素子保持体には、前記充填部と外部とを連通する空気抜き孔が設けられていることを特徴とする請求項４に記載の光ピックアップ。
【発明の詳細な説明】
【技術分野】
【０００１】
本発明は光ピックアップに関する。
【背景技術】
【０００２】
従来、光記録媒体に光を照射するとともに光記録媒体で反射された反射光（戻り光）を受光して、光記録媒体に記録される情報を読み取ったり、光記録媒体に情報を書き込んだりする光ピックアップが知られている。なお、光記録媒体の代表例として、例えば、ＢＤ（Blu-ray Disc;登録商標）、ＤＶＤ（Digital Versatile Disc）、ＣＤ（Compact Disc）等の光ディスクが挙げられる。
【０００３】
従来の光ピックアップの中には、発光点位置がずれた２つの光源を備える２波長レーザと、前記２つの光源から出射されて光記録媒体で反射された戻り光を個別に受光する２種類の受光パターンが設けられる受光素子と、を備えるものがある。そして、このような光ピックアップの中には、受光素子の前段に、戻り光に非点収差を付与するセンサーレンズを備えるものがある（例えば特許文献１参照）。
【先行技術文献】
【特許文献】
【０００４】
【特許文献１】特開２００３−２７２２１７号公報
【発明の概要】
【発明が解決しようとする課題】
【０００５】
ところで、従来の光ピックアップにおいては、上述のセンサーレンズと受光素子とは、光ピックアップを構成するベース部（光学台）に別々に取り付けられる。この構成では、通常、センサーレンズが所定の位置に固定され、その後、受光素子が、光軸方向、及び、光軸方向に垂直な面内方向に動かされながら位置調整された上で固定される。この場合、センサーレンズと受光素子との距離（光軸方向の間隔）にばらつきが生じる場合がある。センサーレンズによって光が曲げられるために、このばらつきが生じると、２波長レーザから出射される２種類の光の戻り光が、受光素子に形成する光スポットの間隔にばらつきが発生する。この結果、戻り光が受光素子で適切に受光されず、光ピックアップの性能が低下することがあった。
【０００６】
なお、特許文献１には、センサーレンズを光軸方向に移動する調整機構を備える構成が開示される。しかし、この構成の場合には、受光素子とセンサーレンズとのそれぞれについて位置調整を行う必要があるために、作業負担が大きくなることが懸念される。また、調整機構の導入により、製造コストが上昇することが懸念される。
【０００７】
以上の点に鑑みて、本発明は、部品の位置調整作業に要する負担を抑制しつつ、良好な性能が得られる光ピックアップを提供することを目的とする。なお、本発明は、発光点位置がずれた複数の光源を備える光ピックアップに好適な技術を提供するものである。
【課題を解決するための手段】
【０００８】
上記目的を達成するために本発明の光ピックアップは、光源から出射される光を光記録媒体に導くとともに、前記光記録媒体で反射される反射光を受光素子へと導く光学路を備える光ピックアップであって、前記受光素子の前段に配置されるセンサーレンズと、前記センサーレンズを一体的に含むとともに、前記受光素子を保持する保持部を有するレンズ機能付き素子保持体と、前記光学路が設けられるとともに、前記受光素子を保持した前記レンズ機能付き素子保持体が取り付けられるベース部と、を備える構成（第１の構成）とされる。
【０００９】
本構成によれば、センサーレンズと受光素子とは、レンズ機能付き素子保持体によって一体化された状態で、ベース部に取り付けられる。このために、センサーレンズと受光素子とを別々にベース部に取り付ける必要がなく、部品の位置調整作業に要する負担を低減可能である。そして、レンズ機能付き素子保持体の存在により、センサーレンズと受光素子との位置関係を一定の関係にし易いために、良好な性能の光ピックアップを得やすい。
【００１０】
上記第１の構成の光ピックアップにおいて、前記光源には、発光点位置が互いにずれた位置関係となる第１の光源と第２の光源とが含まれ、前記光学路は、前記第１の光源が使用される場合と、前記第２の光源が使用される場合とで共用され、前記受光素子には、前記第１の光源用の第１の受光パターンと、前記第２の光源用の第２の受光パターンとが形成されている構成（第２の構成）であってよい。発光点位置が互いにずれた位置関係となる２つの光源を有する光ピックアップでは、センサーレンズと受光素子との間の距離（光軸方向の距離）にばらつきが発生すると、受光素子の各受光パターンで、適切に戻り光を受光できないといった状況が発生する可能性がある。この点、本構成では、レンズ機能付き素子保持体を備える構成であるために、センサーレンズと受光素子との間の距離がばらつく可能性が低く、良好な性能を得やすい。
【００１１】
上記第１又は第２の構成の光ピックアップにおいて、前記センサーレンズは、前記反射光に非点収差を与える構成（第３の構成）であるのが好ましい。本構成によれば、非点収差法によってＦＥ信号が得られる光ピックアップを得られる。
【００１２】
上記第１から第３のいずれかの構成の光ピックアップにおいて、前記受光素子は、前記保持部に接着剤で固定され、前記レンズ機能付き素子保持体には、前記接着剤が充填される充填部と、前記充填部に前記接着剤を充填するための充填用孔と、が設けられる構成（第４の構成）であってよい。本構成によれば、レンズ機能付き素子保持体による受光素子の保持を、簡単な作業で実現できるので便利である。
【００１３】
上記第４の構成の光ピックアップにおいて、前記レンズ機能付き素子保持体には、前記充填部と外部とを連通する空気抜き孔が設けられている構成（第５の構成）であるのが好ましい。本構成によれば、空気抜け孔の存在により、充填用孔から充填部に充填された接着剤が上手く流れ、充填部に適切な量の接着剤を充填し易い。このために、本構成によれば、光ピックアップの製造作業が行い易くなり、また、光ピックアップの信頼性が向上することも期待できる。
【発明の効果】
【００１４】
本発明によれば、部品の位置調整作業に要する負担を抑制しつつ、良好な性能が得られる光ピックアップを提供できる。
【図面の簡単な説明】
【００１５】
【図１】本発明の実施形態に係る光ピックアップの外観構成を示す概略平面図
【図２】本発明の実施形態に係る光ピックアップの光学構成を示す概略平面図
【図３】本発明の実施形態に係る光ピックアップが備える受光素子に形成される受光パターンを説明するための模式図
【図４】本発明の実施形態に係る光ピックアップが備えるレンズ機能付き素子保持体を前面側から見た場合の概略斜視図
【図５】本発明の実施形態に係る光ピックアップが備えるレンズ機能付き素子保持体を背面側から見た場合の概略斜視図
【図６】本発明の実施形態に係る光ピックアップが備える、受光素子を保持したレンズ機能付き素子保持体の概略断面図
【図７】本発明の実施形態に係る光ピックアップにおいて、受光素子をピックアップベースに取り付ける手順を説明するための図
【発明を実施するための形態】
【００１６】
以下、本発明の光ピックアップの実施形態について、図面を参照しながら詳細に説明する。なお、本実施形態の光ピックアップは、ＢＤ、ＤＶＤ、ＣＤといった３種類の規格の光ディスク（光記録媒体の一例）に対して情報の読み取り及び／又は情報の書き込みを行える構成となっている。ただし、この構成はあくまでも例示であり、本発明の範囲を限定する趣旨ではない。
【００１７】
（光ピックアップの概略構成）
図１は、本発明の実施形態に係る光ピックアップ１の外観構成を示す概略平面図である。なお、図１に示される光ピックアップ１で光ディスクの情報の読み取り等を行う場合、光ディスクは紙面手前側に配置されることになる。また、図１においては、理解を容易とするために、光ピックアップ１の構成要素ではないガイドシャフトＧＳも合わせて示されている。
【００１８】
図１に示すように、光ピックアップ１はピックアップベース１０（本発明のベース部の一例）を備えている。ピックアップベース１０の左右の端部には、軸受け部１０ａ、１０ｂが設けられている。ピックアップベース１０は、この軸受け部１０ａ、１０ｂを利用して、ガイドシャフトＧＳに摺動可能に支持されるようになっている。
【００１９】
なお、ここでいうガイドシャフトＧＳは、光ディスク装置（光ディスクの再生及び／又は記録を行える装置）が備えるものである。光ディスク装置に搭載される光ピックアップ１は、ガイドシャフトに沿って移動しながら、回転する光ディスクの所望のアドレスにアクセスする。所望のアドレスにアクセスした光ピックアップ１は、光ディスクに光を照射して、光ディスクに記録される情報の読み取りや、光ディスクへの情報の書き込みを行う。
【００２０】
ピックアップベース１０には、光ディスクに記録される情報を読み取ったり、光ディスクに情報を書き込んだりする上で必要となる、光源、各種の光学部材、受光素子等が搭載される（これらの詳細は後述する）。これらによって、ピックアップベース１０には、光源から出射される光を光ディスクに導くとともに、光ディスクで反射される反射光を受光素子へと導く光学路が形成されることになる。
【００２１】
その他、ピックアップベース１０には、光源、受光素子等のデバイス（素子）を動作させるために必要となる回路が形成されたプリント基板４０や、光源の駆動等により発生する熱を放熱するための放熱部材５０も取り付けられている。なお、図１において、プリント基板４０はピックアップベース１０の下面側に取り付けられ、放熱部材５０は、ピックアップベース１０の上面側に取り付けられている。
【００２２】
図２は、本発明の実施形態に係る光ピックアップ１の光学構成を示す概略平面図である。光ピックアップ１は、第１の半導体レーザ１１から出射される光を光ディスク（詳細には情報記録層）に導くとともに、光ディスクで反射される反射光（戻り光）を受光素子２０へと導く、ＤＶＤ及びＣＤ用（ＤＶＤ／ＣＤ用）の光学路を有する。ＤＶＤ／ＣＤ用の光学路は、ＤＶＤ対応の場合とＣＤ対応の場合とで共用される光学路である。また、光ピックアップ１は、第２の半導体レーザ２１から出射される光を光ディスクに導くとともに、光ディスクで反射される戻り光を受光素子２０へと導く、ＢＤ用の光学路も有する。
【００２３】
まず、ＤＶＤ／ＣＤ用の光学路について説明する。第１の半導体レーザ１１は、ＤＶＤ用のレーザ光（例えば波長６５０ｎｍ帯のレーザ光）とＣＤ用のレーザ光（例えば波長７８０ｎｍ帯のレーザ光）とを切り換えて出射可能になっている。第１の半導体レーザ１１は、例えばモノリシックタイプ或いはハイブリッドタイプの２波長レーザとできる。
【００２４】
第１の半導体レーザ１１においては、ＤＶＤ用のレーザ光Ｌ１は第１の発光点１１ａから出射され、ＣＤ用のレーザ光Ｌ２は第２の発光点１１ｂから出射される。２つの発光点１１ａ、１１ｂは、発光点位置が互いに異なる。このために、図２に示すように、ＤＶＤ用のレーザ光Ｌ１と、ＣＤ用のレーザ光Ｌ２とは光軸がずれた関係になる。なお、第１の発光点１１ａは、本発明の第１の光源の一例である。また、第２の発光点１１ｂは、本発明の第２の光源の一例である。
【００２５】
第１の半導体レーザ１１から出射されたレーザ光は、回折格子１２を透過後、ビームスプリッタ１３によって反射される。ビームスプリッタ１３で反射されたレーザ光は、偏光ビームスプリッタ１４、１／４波長板１５、コリメートレンズ１６を透過する。コリメートレンズ１６を透過したレーザ光は、第１の立ち上げミラー１７によって反射されて、第１の立ち上げミラー１７の上方にある第１の対物レンズ１８へと至る。
【００２６】
第１の対物レンズ１８は、入射したレーザ光を光ディスクの情報記録層に集光する機能を有する。第１の対物レンズ１８によって情報記録層に集光されたレーザ光は、情報記録層で反射される。この反射光（戻り光）は、第１の対物レンズ１８を透過後、第１の立ち上げミラー１７で反射され、コリメートレンズ１６、１／４波長板１５、偏光ビームスプリッタ１４、ビームスプリッタ１３を順に透過する。そして、ビームスプリッタ１３を透過した戻り光は、センサーレンズ１９によって非点収差を与えられて受光素子２０の所定の受光パターンに集光される。なお、センサーレンズ１９と受光素子２０とは、一体化された状態（図２の破線枠は、この一体化した状態を示すものである）で、ピックアップベース１０に取り付けられる。この点の詳細は後述する。
【００２７】
ところで、上述のように、ＤＶＤ用のレーザ光Ｌ１と、ＣＤ用のレーザ光Ｌ２とは、光軸がずれている。これに対応させて、受光素子２０には、図３に示すように、ＤＶＤ対応の場合に用いられる第１の受光パターン２０１と、ＣＤ対応の場合に用いられる第２の受光パターン２０２と、が形成されている。
【００２８】
なお、図３は、本発明の実施形態に係る光ピックアップ１が備える受光素子２０に形成される受光パターンを説明するための模式図である。図３においては、第１の受光パターン２０１と第２の受光パターン２０２とは、それぞれ、田の字状に４分割された領域を有する受光部２０１ａ、２０２ａを３つずつ含む構成になっている。しかし、この構成は、一例であり、第１の受光パターン２０１と、第２の受光パターン２０２とは、適宜、その構成が変更されて構わない。
【００２９】
受光素子２０は、各受光パターン２０１、２０２で受光した光信号を電気信号に変換する。受光素子２０から出力された電気信号は図示しない信号処理部に送られる。この信号処理部は、再生信号、フォーカスエラー（ＦＥ）信号、トラッキングエラー（ＴＥ）信号等を生成する。
【００３０】
なお、本実施形態の光ピックアップ１では、ＤＶＤ対応の場合と、ＣＤ対応との場合とのいずれの場合も、公知の非点収差法を用いてＦＥ信号が得られる。非点収差法によるＦＥ信号生成のために、センサーレンズ１９には非点収差付与機能が与えられている。
【００３１】
また、ＤＶＤ対応の場合には、公知のＤＰＰ（Differential Push-Pull）法によってＴＥ信号が生成される。このＤＰＰ法によるＴＥ信号生成のために、ＤＶＤ／ＣＤ用の光路には回折格子１２が設けられている。ＣＤ対応の場合には、ＰＰ（Push-Pull）法によってＴＥ信号が得られる。なお、ＴＥ信号の生成方法は、適宜変更して構わず、例えば、ＤＶＤ対応の場合にＰＰ法やＤＰＤ（Differential Phase Detection）法が用いられてもよい。この場合には、回折格子１２が抹消されてよい。また、ＣＤ対応の場合についても、ＤＰＤ法やＤＰＰ法が用いられてもよい。その他、ＴＥ信号を得るために、光学路中の適所にホログラム素子を配置する構成が採用されてもよい。
【００３２】
次に、ＢＤ用の光学路について説明する。第２の半導体レーザ２１は、ＢＤ用のレーザ光（例えば波長４０５ｎｍ帯のレーザ光）を出射可能となっている。第２の半導体レーザ２１から出射されたレーザ光は、回折素子２２を透過後、偏光ビームスプリッタ１４によって反射される。
【００３３】
なお、偏光ビームスプリッタ１４は、ＢＤ用のレーザ光に作用する光学部材であり、ＤＶＤ用及びＣＤ用のレーザ光は、その偏光状態に関係なく透過する。偏光ビームスプリッタ１４は、１／４波長板１５と協働して光アイソレータとしての役割を発揮し、往路のＢＤ用のレーザ光は反射するが、復路のＢＤ用のレーザ光は透過する。また、第２の半導体レーザ２１から出射されて偏光ビームスプリッタ１４で反射されるレーザ光の光軸は、ＤＶＤ用のレーザ光Ｌ１の光軸と一致するように調整されている。
【００３４】
第２の半導体レーザ２１から出射されて偏光ビームスプリッタ１４で反射されたレーザ光は、１／４波長板１５、コリメートレンズ１６、及び、第１の立ち上げミラー１７を透過する。なお、第１の立ち上げミラー１７はダイクロイックミラーであり、ＤＶＤ及びＣＤ用のレーザ光は反射するが、ＢＤ用のレーザ光は透過するようになっている。第１の立ち上げミラー１７を透過したレーザ光は、第２の立ち上げミラー２３によって反射されて、第２の立ち上げミラー２３の上方にある第２の対物レンズ２４へと至る。
【００３５】
第２の対物レンズ２４は、入射したレーザ光を光ディスクの情報記録層に集光する機能を有する。第２の対物レンズ２４によって情報記録層に集光されたレーザ光は、情報記録層で反射される。この反射光（戻り光）は、第２の対物レンズ２４を透過後、第２の立ち上げミラー２３で反射され、第１の立ち上げミラー１７、コリメートレンズ１６、１／４波長板１５、偏光ビームスプリッタ１４、ビームスプリッタ１３を順に透過する。そして、ビームスプリッタ１３を透過した戻り光は、センサーレンズ１９によって非点収差を与えられて受光素子２０の所定の受光パターンに集光される。ＤＶＤ及びＣＤ対応の場合と同様に、受光素子２０では光電変換が行われ、受光素子２０から出力された電気信号は信号処理部（不図示）で処理され、再生信号、ＦＥ信号、ＴＥ信号等が生成される。
【００３６】
なお、上述のように、第２の半導体レーザ２１から出射されたレーザ光（ＢＤ用のレーザ光）は、偏光ビームスプリッタ１４を用いて、ＤＶＤ用のレーザ光Ｌ１と光軸が一致するようになっている。このために、ＢＤ用のレーザ光の戻り光は、受光素子２０の第１の受光パターン２０１に集光されるようになっている。換言すると、第１の受光パターン２０１は、ＤＶＤ対応の場合と、ＢＤ対応の場合とで共用される構成になっている。ＢＤ対応の場合、非点収差法によってＦＥ信号が得られ、ＤＰＰ法によってＴＥ信号が得られる。なお、ＢＤ対応の場合も、上述のＤＶＤ対応等の場合と同様に、他の手法によってＴＥ信号が得られてよい。
【００３７】
また、コリメートレンズ１６は、不図示のレンズ駆動機構によって、その光軸方向（図２に矢印で示す方向）に移動可能となっている。コリメートレンズ１６の位置は、光ディスクの種類変更やレイヤージャンプ（多層光ディスク対応時における記録層間の移動）等に応じて適宜移動される。このようにコリメートレンズ１６を移動可能とするのは、対物レンズ１８、２４に入射するレーザ光の収束発散度合いを調節して、球面収差の影響を適切に抑制することを狙っている。
【００３８】
また、２つの対物レンズ１８、２４は、ピックアップベース１０に取り付けられるアクチュエータ３０（図１参照）に搭載された状態で、ピックアップベース１０上に配置されることになる。アクチュエータ３０は、光ピックアップ１に備えられる２つの対物レンズ１８、２４をフォーカス方向及びトラッキング方向に移動可能とする装置である。なお、フォーカス方向は、光ディスクに対して接離する方向であり、図１において紙面に垂直な方向が該当する。またトラッキング方向は、光ディスクの半径方向に平行な方向であり、図１において上下方向が該当する。
【００３９】
光ピックアップ１においては、情報の読み取りや書き込みを行う際に、対物レンズ１８、２４の焦点位置が常に光ディスクの情報記録層に合うようにフォーカシング制御を行う必要がある。また、光ピックアップ１においては、情報の読み取りや書き込みを行う際に、対物レンズ１８、２４によって光ディスクの情報記録層に集光される光スポットの位置が、光ディスクのトラックに常に追随するようにトラッキング制御を行う必要がある。アクチュエータ３０は、例えば、これらフォーカシング制御及びトラッキング制御を行う際に駆動される。
【００４０】
アクチュエータ３０は、対物レンズ１８、２４を保持するレンズホルダ３１（図１参照）を有し、レンズホルダ３１をワイヤ３２（図１参照）で揺動可能に支持する構成のものである。そして、コイル及び磁石を利用して発生させた力でレンズホルダ３１（すなわち対物レンズ１８、２４）を動かすものである。このようなタイプのアクチュエータは公知であるので、詳細な説明は省略する。なお、アクチュエータは、他のタイプ（例えば軸摺動型）のものであっても構わない。
【００４１】
（レンズ機能付き素子保持体）
上述のように、光ピックアップ１が備えるセンサーレンズ１９及び受光素子２０は、一体化された状態で、ピックアップベース１０に取り付けられる。この構成は、レンズ機能付き素子保持体を用いることによって可能になっている。以下、このレンズ機能付き素子保持体について説明する。
【００４２】
図４は、本発明の実施形態に係る光ピックアップ１が備えるレンズ機能付き素子保持体６０を前面側から見た場合の概略斜視図である。図５は、本発明の実施形態に係る光ピックアップ１が備えるレンズ機能付き素子保持体６０を背面側から見た場合の概略斜視図である。レンズ機能付き素子保持体６０は、透明樹脂を用いて、例えば射出成型等によって一体的に形成された透明部材である。レンズ機能付き素子保持体６０は、図４及び図５に示すように、レンズ部６１と、保持部６２とを有する。
【００４３】
レンズ部６１は、外形が略円柱形状に設けられる。レンズ部６１の内部には、当該レンズ部６１を通過する光に対して、上述のセンサーレンズ１９としての機能を発揮するレンズ機能部６１ａが設けられている。換言すると、レンズ機能付き素子保持体６０は、センサーレンズ１９を一体的に含む構成になっている。
【００４４】
保持部６２は、受光素子２０を保持する部分であり、その外形は略直方体形状に設けられる。保持部６２には、レンズ部６１と接続される前面側に対して反対側となる背面側に、凹部空間６３が形成されている（図５参照）。凹部空間６３は、底壁６２ａと、３つの側壁６２ａとに囲まれた略直方体形状の空間である。換言すると、略直方体形状の凹部空間６３の側面の１つは開放された状態になっている。この凹部空間６３は、受光素子２０が挿入配置される空間となる。前述のように側面の１つが開放されているために、凹部空間６３への受光素子２０の取り付けは容易になっている。
【００４５】
底壁６２ａの略中央部には、平面視略円形状の開口部６４が形成され、この開口部６４によって形成される内部空間はレンズ機能部６１ａに繋がる。また、底壁６２ａの長手方向の両端部には、平面視略矩形状の溝部６５が形成されている（図５参照）。この溝部６５は、凹部空間６３に挿入配置された受光素子２０を接着固定するための接着剤を充填する部分である。溝部６５は、本発明の充填部の一例である。なお、図５では、溝部６５は１つしか見えないが、溝部６５は、開口部６４を挟んで略対称配置となるように、２つ設けられている。
【００４６】
保持部６２の前面側には、レンズ部６１を挟むように配置される一対の孔６６（平面視略矩形状の孔）が形成されている。この一対の孔６６は、それぞれ、溝部６５に連通している。この一対の孔６６は、溝部６５に接着剤を充填するための充填用孔とし機能する。以下、この孔６６のことを充填用孔６６と表現する。また、保持部６２の前面側には、一対の充填用孔６６の上側に、一対の孔６７（平面視略矩形状の孔）が形成されている。この一対の孔６７のそれぞれは、充填用孔６６に比べて断面積が小さく設けられているが、充填用孔６６と同様に、溝部６５に連通している。この一対の孔６７は、溝部６５に接着剤を充填する際に、空気の抜け孔として機能するように設けられたものであり、以下、この孔６７のことを空気抜き孔６７と表現する。
【００４７】
図６は、本発明の実施形態に係る光ピックアップ１が備える、受光素子２０を保持したレンズ機能付き素子保持体６０の概略断面図である。なお、図６は、図４のＡ−Ａ位置で切断した場合を想定した図である。また、図６におけるレンズ機能付き素子保持体６０の向きは、図４及び図５と比べて、上下が逆になっている。また、図６では、受光素子２０は、ＦＰＣ（Flexible Print Circuit）７０に実装された状態となっている。ＦＰＣ７０の背後には、強度を補強するための補強板８０が取り付けられている。
【００４８】
図６に示すように、その外形が略直体形状に設けられる受光素子２０は、その前面側（受光パターンが設けられる側）が底壁６２ａと当接された状態で、受光部６２の凹部空間６３に挿入配置される。換言すると、底壁６２ａが受光素子２０に対する当て面として機能する状態で、保持部６２は受光素子２０を保持するようになっている。このために、受光素子２０と、レンズ機能部６１ａ（センサーレンズ１９と言い換えてよい）との間の距離（光軸方向の距離）がばらつく可能性を抑制できる。
【００４９】
また、受光素子２０は、凹部空間６３を囲む側壁６２ｂを用いて、光軸方向と垂直な方向についても位置決めされた状態で、レンズ機能付き素子保持体６０に保持される。すなわち、レンズ機能付き素子保持体６０を用いることにより、センサーレンズ１９と受光素子２０との位置関係は、製品によってばらつくことなく一定の関係に保ちやすくなっている。
【００５０】
（受光素子の取り付け手順）
ここで、受光素子２０をピックアップベース１０に取り付ける手順の一例について説明しておく。まず、受光素子２０はＦＰＣ７０に実装される。この後、受光素子２０が実装されたＦＰＣ７０が、図７に示すように、例えばリフロー工程を用いることによって、プリント基板４０（図１参照）に半田接合される。なお、補強板８０は、適当なタイミングで取り付ければよく、補強板８０の取り付けは場合によっては省略されてもよい。
【００５１】
受光素子２０が実装されたＦＰＣ７０がプリント基板４０に半田接合されると、次に、図６に示す保持状態となるように、受光素子２０がレンズ機能付き素子保持体６０に取り付けられる。具体的には、次のような手順で取り付けが実行される。
【００５２】
まず、受光素子２０が、保持部６２の凹部空間６３に挿入配置される。この際、底壁６２ａ及び側壁６２ｂを利用して、受光素子２０の位置は、所定の位置に位置決めされる。治具を用いて、受光素子２０が位置決めされた状態を維持する。そして、この状態で、保持部６２の充填用孔６６を利用して溝部６５に接着剤を充填する。接着剤の充填は、例えばディスペンサ等を利用すればよい。溝部６５を外部と連通する空気抜き孔６７の存在により、受光素子２０を保持部６２に接着固定するのに必要な所定の量だけ、溝部６５に接着剤を充填できる。接着剤としては、例えば、紫外線硬化型の接着剤が用いられる。接着剤の充填後、紫外線を照射して接着剤を硬化させ、受光素子２０がレンズ機能付き素子保持体６０に保持された状態を得る。
【００５３】
受光素子２０がレンズ機能付き素子保持体６０に保持されると、次に、このレンズ機能付き素子保持体６０をピックアップベース１０に取り付ける。詳細には、事前に、ピックアップベース１０に他の部材（半導体レーザ、光学部材、アクチュエータ、プリント基板等）を取り付けておく。そして、ピックアップベース１０の側面部に設けられる取り付け位置（凹部）に、受光素子２０を保持したレンズ機能付き素子保持体６０を治具で保持した状態で配置する。この段階では、まだ、レンズ機能付き素子保持体６０は、ピックアップベース１０に固定されない。
【００５４】
半導体レーザ（例えば第２の半導体レーザ２１）から光を出射し、受光素子２０を保持したレンズ機能付き素子保持体６０を、光軸方向及び光軸方向と垂直な面内方向に動かす。そして、所望の特性が得られた位置で、受光素子２０を保持したレンズ機能付き素子保持体６０をピックアップベース１０に固定する。レンズ機能付き素子保持体６０のピックアップベース１０への固定は、例えば紫外線硬化型の接着剤を用いて行ってよい。なお、前述の所望の特性が得られたか否かの判断に際しては、例えば、ＲＦ信号やＴＥ信号の振幅、ジッタ等が指標として用いられてよい。
【００５５】
従来においては、センサーレンズ１９と、受光素子２０（光軸方向の位置調整が行われる）と、が別々にピックアップベース１０に取り付けられていたので、両者の間の距離（光軸方向の距離）がばらつき易かった。このばらつきが発生した場合、第１の発光点１１ａから出射されるレーザ光（ＤＶＤ用のレーザ光）と、第２の発光点１１ｂから出射されるレーザ光（ＣＤ用のレーザ光）とが、受光素子２０の受光面に形成する光スポットの間隔にばらつきが生じることになる。
【００５６】
この点、本実施形態の光ピックアップ１においては、レンズ機能付き素子保持体６０を用いて受光素子２０を取り付ける構成であるために、センサーレンズ１９と受光素子２０との間の間隔がばらつくことを抑制できる。このために、ＤＶＤ対応の場合と、ＣＤ対応との場合とのいずれもの場合にも、良好な性能（読み取り性能及び／又は書き込み性能）が得られる。
【００５７】
（その他）
以上に示した実施形態は本発明の例示であり、本発明の光ピックアップは、以上に示した実施形態の構成に限定されず、本発明の技術思想の範囲内で適宜変更可能である。
【００５８】
例えば、以上の実施形態では、ＢＤ、ＤＶＤ、ＣＤの３種類の規格に対応可能な光ピックアップ１とした。しかし、本発明の光ピックアップが対応可能な光ディスクの種類、及び、その数は適宜変更されてよい。例えば、上述の光ピックアップ１において、ＢＤ対応にのみ必用な部材は除いて、ＤＶＤ及びＣＤにのみ対応可能な光ピックアップとしてもよい。
【００５９】
また、以上に示した実施形態では、発光点位置が互いにずれた位置関係になる２つの光源は、２波長レーザとして構成されたが、これに限られず、別々の半導体レーザ（単一の波長の光のみを出射するレーザ）として構成されてもよい。
【００６０】
また、以上に示した実施形態におけるレンズ機能付き素子保持体６０の形状は、例示にすぎず、例えば受光素子の形状に合わせる等の目的で、適宜変更されても構わない。また、レンズ機能付き素子保持体６０に形成される充填用孔６６や空気抜き孔６７は、場合によっては、抹消されても構わない。
【符号の説明】
【００６１】
１  光ピックアップ
１０  ベース部
１１ａ  第１の発光点（第１の光源）
１１ｂ  第２の発光点（第２の光源）
１９  センサーレンズ
２０  受光素子
６０  レンズ機能付き素子保持体
６２  保持部
６５  充填部
６６  充填用孔
６７  空気抜き孔
２０１  第１の受光パターン
２０２  第２の受光パターン
【図１】
2014044764.tif 000003
【図２】
2014044764.tif 000004
【図３】
2014044764.tif 000005
【図４】
2014044764.tif 000006
【図５】
2014044764.tif 000007
【図６】
2014044764.tif 000008
【図７】
2014044764.tif 000009